(57)【特許請求の範囲】
【請求項１】
端末側に含まれるスマートカードのリモート制御方法であって、
スマートカード管理プラットフォームがユーザからのスマートカード廃棄要求を受信するステップと、
前記スマートカード管理プラットフォームが、前記端末側が前記スマートカードを廃棄するように前記要求に応じて移動体ネットワークプラットフォームを介して前記端末側との間でショートメッセージの送受信を行うステップと、
を含み、
ネットワーク側状態機械において、前記スマートカードの状態は、正常使用状態、廃棄待機状態、廃棄状態を含み、
前記スマートカード管理プラットフォームが、前記端末側が前記スマートカードを廃棄するように前記要求に応じて移動体ネットワークプラットフォームを介して前記端末側との間でショートメッセージの送受信を行うステップは、
前記ネットワーク側状態機械において、前記スマートカードの状態が正常使用状態であり、スマートカードがある移動局は、正常起動状態にある場合、前記スマートカード管理プラットフォームが、スマートカードがある移動局に廃棄用ショートメッセージを送信し、前記移動局がスマートカード管理プラットフォームから送信されてきた廃棄用ショートメッセージを実行し、スマートカード管理プラットフォーム又は前記移動体ネットワークプラットフォームに、実行が成功した旨のショートメッセージを返信し、前記スマートカード管理プラットフォーム又は前記移動体ネットワークプラットフォームが前記スマートカードの状態を廃棄状態に更新することと、
前記ネットワーク側状態機械において、前記スマートカードの状態が正常使用状態であり、前記スマートカードがある移動局がオフライン状態である場合、前記スマートカード管理プラットフォーム又は前記移動体ネットワークプラットフォームが前記スマートカードの状態を廃棄待機状態に更新することと、
前記ネットワーク側状態機械において、前記スマートカードの状態が廃棄待機状態であり、前記スマートカードがある移動局がオフライン状態にあり、その後探し出された場合、前記スマートカードの状態を正常使用状態に更新することと、
前記ネットワーク側状態機械において、前記スマートカードの状態が廃棄待機状態であり、オフライン状態での、前記スマートカードがある移動局が正常使用状態に復帰し、前記移動体ネットワークプラットフォームに登録した場合、廃棄用ショートメッセージコマンドを、前記移動体ネットワークプラットフォームにより前記スマートカードがある移動局に送信し、前記移動局により実行し又は前記移動体ネットワークプラットフォームに、実行が成功した旨のショートメッセージを返信し、前記スマートカード管理プラットフォーム又は前記移動体ネットワークプラットフォームが前記スマートカードの状態を前記廃棄状態に更新することと、
を含むことを特徴とするスマートカードのリモート制御方法。
【請求項２】
前記移動局が前記廃棄コマンドを実行することにより前記スマートカードを廃棄するステップは、
前記移動局がスマートカードのハードウェアを廃棄することにより前記スマートカードを廃棄すること、または、前記移動局が予め実装されたソフトウェアの実行体を実行することにより前記スマートカードを廃棄することを含むことを特徴とする請求項１に記載のスマートカードのリモート制御方法。
【請求項３】
前記スマートカード管理プラットフォームと前記端末側との間でのショートメッセージの送受信は、
前記スマートカード管理プラットフォームが、所定の時間内に前記端末側から返信された実行に成功した旨のショートメッセージを受信していない場合に、前記移動体ネットワークプラットフォームを介して前記端末側に前記廃棄用ショートメッセージを送信し続けることをさらに含むことを特徴とする請求項１に記載のスマートカードのリモート制御方法。
【請求項４】
前記スマートカード管理プラットフォームが前記移動体ネットワークプラットフォームを介して前記端末側に前記廃棄用ショートメッセージを送信し続けることは、
前記スマートカード管理プラットフォームが、前記移動体ネットワークプラットフォームを介して前記端末側に前記廃棄用ショートメッセージを送信する回数が所定の回数を超えている場合に、所定の時間毎に前記廃棄用ショートメッセージを前記端末側に送信することを含むことを特徴とする請求項３に記載のスマートカードのリモート制御方法。
【請求項５】
オフライン状態での、前記スマートカードがある移動局が起動するまたは通信圏内に入ると、前記スマートカード管理プラットフォームが、前記スマートカードがある移動局に前記廃棄用ショートメッセージを送信し続けるステップをさらに含むことを特徴とする請求項１に記載のスマートカードのリモート制御方法。
【請求項６】
前記スマートカード管理プラットフォームが、前記スマートカードがある移動局に前記廃棄用ショートメッセージを送信し続けるステップは、
前記スマートカード管理プラットフォームが、前記廃棄用ショートメッセージを前記端末側に送信する回数が所定の回数を超えている場合に、所定の時間毎に前記廃棄用ショートメッセージを前記端末側に送信することを含むことを特徴とする請求項５に記載のスマートカードのリモート制御方法。
【請求項７】
前記移動局のオフライン状態は、オフ状態、通信圏内ではない状態のいずれかを含むことを特徴とする請求項１に記載のスマートカードのリモート制御方法。
【請求項８】
前記スマートカード管理プラットフォームがユーザからの申請を受信した後、
前記スマートカード管理プラットフォームにより、前記スマートカードが有効であるかを判断するステップをさらに含むことを特徴とする請求項１に記載のスマートカードのリモート制御方法。
【請求項９】
前記スマートカード管理プラットフォームが前記要求に応じて前記移動体ネットワークプラットフォームを介して前記端末側との間でショートメッセージの送受信を行う前に、
前記移動体ネットワークプラットフォームと前記端末側によりセキュリティ認証を行うステップをさらに含むことを特徴とする請求項１に記載のスマートカードのリモート制御方法。
【請求項１０】
前記移動体ネットワークプラットフォームと前記端末側によるセキュリティ認証は、
前記スマートカードがある移動局が、廃棄用ショートメッセージを受信すると、前記スマートカード管理プラットフォームからの廃棄用ショートメッセージであるかを判定することと、
そうでない場合には、それを普通のショートメッセージとして取り扱うことと、
そうである場合には、前記廃棄用ショートメッセージの指示に応じたスマートカード廃棄動作を行い、スマートカードがある移動局が、実行に成功した旨のショートメッセージを前記スマートカード管理プラットフォームに返信することと、
を含むことを特徴とする請求項９に記載のスマートカードのリモート制御方法。
【請求項１１】
前記スマートカード管理プラットフォームがユーザからの、前記スマートカードを廃棄する要求を受信した後、
前記スマートカード管理プラットフォームが、前記スマートカードがある移動局の状態情報を、前記移動体ネットワークプラットフォームを介して検索するステップをさらに含むことを特徴とする請求項１に記載のスマートカードのリモート制御方法。
【請求項１２】
前記スマートカード管理プラットフォームが、前記スマートカードがある移動局の状態情報を、前記移動体ネットワークプラットフォームを介して検索するステップは、
前記スマートカード管理プラットフォームが、前記スマートカードがある移動局の移動体識別コードおよび位置領域情報に基づいて前記移動局の状態情報を、前記移動体ネットワークプラットフォームを介して検索することを含むことを特徴とする請求項１１に記載のスマートカードのリモート制御方法。
【請求項１３】
前記スマートカード管理プラットフォームが、ＢＩＰ（Ｂｅａｒｅｒ  Ｉｎｄｅｐｅｎｄｅｎｔ  Ｐｒｏｔｏｃｏｌ）を含むＯＴＡ（Ｏｖｅｒ  Ｔｈｅ  Ａｉｒ）技術により廃棄コマンドを前記端末側に送信するステップをさらに含むことを特徴とする請求項１〜１２のいずれかに記載のスマートカードのリモート制御方法。
【請求項１４】
スマートカード監視プラットフォームが、ユーザがスマートカードを使用する時に規約違反行為があることを発見した場合、前記スマートカードを廃棄するようにスマートカード管理プラットフォームに通知するステップと、
前記スマートカード管理プラットフォームと端末側との間でのショートメッセージの送受信により、前記端末側が前記スマートカードの廃棄を完了するステップと、
を含み、
ネットワーク側状態機械において、前記スマートカードの状態は、正常使用状態、廃棄待機状態、廃棄状態を含み、
前記スマートカード管理プラットフォームと端末側との間でのショートメッセージの送受信により、前記端末側が前記スマートカードの廃棄を完了するステップは、
前記ネットワーク側状態機械において、前記スマートカードの状態が正常使用状態であり、前記スマートカードがある移動局が、正常起動状態にある場合、前記スマートカード管理プラットフォームが、前記スマートカードがある移動局に廃棄用ショートメッセージを送信し、移動局がスマートカード管理プラットフォームから送信されてきた廃棄用ショートメッセージを実行し、前記スマートカード管理プラットフォーム又は前記移動体ネットワークプラットフォームに、実行が成功した旨のショートメッセージを返信し、前記スマートカード管理プラットフォーム又は前記移動体ネットワークプラットフォームが前記スマートカードの状態を廃棄状態に更新することと、
前記ネットワーク側状態機械において、前記スマートカードの状態が正常使用状態であり、スマートカードがある移動局がオフライン状態である場合、前記スマートカード管理プラットフォーム又は前記移動体ネットワークプラットフォームが前記スマートカードの状態を廃棄待機状態に更新することと、
前記ネットワーク側状態機械において、前記スマートカードの状態が廃棄待機状態であり、スマートカードがある移動局がオフライン状態にあり、その後探し出された場合、前記スマートカードの状態を正常使用状態に更新することと、
前記ネットワーク側状態機械において、前記スマートカードの状態が廃棄待機状態であり、オフライン状態での、前記スマートカードがある移動局が正常使用状態に復帰し、前記移動体ネットワークプラットフォームに登録した場合、前記廃棄用ショートメッセージコマンドを、前記移動体ネットワークプラットフォームにより前記スマートカードがある移動局に送信し、前記移動局により実行し、スマートカード管理プラットフォーム又は前記移動体ネットワークプラットフォームに、実行が成功した旨のショートメッセージを返信し、前記スマートカード管理プラットフォーム又は前記移動体ネットワークプラットフォームが前記スマートカードの状態を前記廃棄状態に更新することと、
を含むことを特徴とするスマートカードのリモート制御方法。
【請求項１５】
前記端末側は、移動局とスマートカードを含み、
前記スマートカード管理プラットフォームと前記端末側との間でのショートメッセージの送受信は、
前記スマートカード管理プラットフォームが、前記スマートカードがある移動局の状態情報を、移動体ネットワークプラットフォームを介して検索するステップを含むことを特徴とする請求項１４に記載のスマートカードのリモート制御方法。
【請求項１６】
前記スマートカード管理プラットフォームが、前記スマートカードがある移動局の状態情報を、移動体ネットワークプラットフォームを介して検索するステップは、
前記スマートカード管理プラットフォームが、前記スマートカードがある移動局の移動体識別コードおよび位置領域情報に基づいて前記スマートカードがある移動局の状態情報を、前記移動体ネットワークプラットフォームを介して検索することを含むことを特徴とする請求項１５に記載のスマートカードのリモート制御方法。
【請求項１７】
廃棄用ショートメッセージコマンドを送信する移動体ネットワークプラットフォームと、
前記廃棄用ショートメッセージを実行することによりスマートカードを廃棄する移動局と、
ユーザからのスマートカードを廃棄する要求を受信し、前記移動体ネットワークプラットフォームを介して前記移動局との間でショートメッセの送受信を行うスマートカード管理プラットフォームと、を備え、
ネットワーク側状態機械において、前記スマートカードの状態は、正常使用状態、廃棄待機状態、廃棄状態を含み、
前記ネットワーク側状態機械において、前記スマートカードの状態が正常使用状態であり、スマートカードがある移動局が、正常起動状態にある場合、前記スマートカード管理プラットフォームが、前記スマートカードがある移動局に廃棄用ショートメッセージを送信し、前記移動局が前記スマートカード管理プラットフォームから送信されてきた前記廃棄用ショートメッセージを実行し、前記スマートカード管理プラットフォーム又は前記移動体ネットワークプラットフォームに、実行が成功した旨のショートメッセージを返信し、前記スマートカード管理プラットフォーム又は前記移動体ネットワークプラットフォームが前記スマートカードの状態を廃棄状態に更新し、
前記ネットワーク側状態機械において、前記スマートカードの状態が正常使用状態であり、スマートカードがある移動局がオフライン状態である場合、前記スマートカード管理プラットフォーム又は前記移動体ネットワークプラットフォームが前記スマートカードの状態を絶縁層廃棄待機状態に更新し、
前記ネットワーク側状態機械において、前記スマートカードの状態が廃棄待機状態であり、前記スマートカードがある移動局がオフライン状態にあり、その後探し出された場合、前記前記スマートカード管理プラットフォーム又は前記移動体ネットワークプラットフォームが、前記スマートカードの状態を正常使用状態に更新し、
前記ネットワーク側状態機械において、前記スマートカードの状態が前記廃棄待機状態であり、オフライン状態での、前記スマートカードがある移動局が正常使用状態に復帰し、前記移動体ネットワークプラットフォームに登録した場合、前記廃棄用ショートメッセージコマンドを、前記移動体ネットワークプラットフォームが前記スマートカードがある移動局に送信し、前記移動局が実行し、前記スマートカード管理プラットフォーム又は前記移動体ネットワークプラットフォームに、実行が成功した旨のショートメッセージを返信し、前記スマートカード管理プラットフォーム又は前記移動体ネットワークプラットフォームが前記スマートカードの状態を前記廃棄状態に更新する、
ことを特徴とするスマートカードリモート制御システム。
【請求項１８】
移動局に廃棄用ショートメッセージコマンドを送信する送信モジュールと、
スマートカードの状態を更新する変更モジュールと、
を備え、
ネットワーク側状態機械において、前記スマートカードの状態は、正常使用状態、廃棄待機状態、廃棄状態を含み、
前記変更モジュールは、
前記ネットワーク側状態機械において、前記スマートカードの状態が正常使用状態であり、スマートカードがある移動局が、正常起動状態にある場合、前記スマートカード管理プラットフォームで、前記スマートカードがある移動局に廃棄用ショートメッセージを送信し、前記移動局が前記スマートカード管理プラットフォームから送信されてきた前記廃棄用ショートメッセージを実行し、前記スマートカード管理プラットフォーム又は前記移動体ネットワークプラットフォームに、実行が成功した旨のショートメッセージを返信し、その後、前記スマートカードの状態を廃棄状態に更新することと、
前記ネットワーク側状態機械において、前記スマートカードの状態が正常使用状態であり、前記スマートカードがある移動局がオフライン状態である場合、前記スマートカードの状態を前記廃棄待機状態に更新することと、
前記ネットワーク側状態機械において、前記スマートカードの状態が廃棄待機状態であり、前記スマートカードがある移動局がオフライン状態にあり、その後探し出された場合、前記スマートカードの状態を正常使用状態に更新することと、
前記ネットワーク側状態機械において、前記スマートカードの状態が廃棄待機状態であり、オフライン状態での、前記スマートカードがある移動局が正常使用状態に復帰し、前記移動体ネットワークプラットフォームに登録した場合、前記廃棄用ショートメッセージコマンドを、前記移動体ネットワークプラットフォームで前記スマートカードがある移動局に送信し、前記移動局により実行し、前記スマートカード管理プラットフォーム又は前記移動体ネットワークプラットフォームに、実行が成功した旨のショートメッセージを返信し、その後、前記スマートカードの状態を前記廃棄状態に更新することと、
に用いることを特徴とする移動体ネットワークプラットフォーム。
【請求項１９】
前記移動局に廃棄用ショートメッセージコマンドを送信するタイミングを設定するタイマモジュールをさらに備えることを特徴とする請求項１８に記載の移動体ネットワークプラットフォーム。
【請求項２０】
前記送信モジュールは、ＢＩＰ（Ｂｅａｒｅｒ  Ｉｎｄｅｐｅｎｄｅｎｔ  Ｐｒｏｔｏｃｏｌ）を含むＯＴＡ（Ｏｖｅｒ  Ｔｈｅ  Ａｉｒ）技術により廃棄コマンドを送信することを特徴とする請求項１８または１９に記載の移動体ネットワークプラットフォーム。
【発明の詳細な説明】
【技術分野】
【０００１】
本発明は、通信分野に関し、具体的には、スマートカードのリモート制御方法およびシステムに関する。
【背景技術】
【０００２】
電子支払い（ｅｌｅｃｔｒｏｎｉｃ  ｐａｙｍｅｎｔ）とは、商業用電子化ツールと各種の電子通貨を媒体とし、コンピュータ技術と通信技術を手段として、電子データの記憶と伝送によりコンピュータネットワークシステムにおいて資金の流通と支払いを実現するものである。
【０００３】
近年から、インターネット、移動体通信、コンピュータなどの技術の組み合わせに伴い、モバイル支払い（ｍｏｂｉｌｅ  ｐａｙｍｅｎｔ）を代表とするモバイル電子ビジネスが生まれた。新規の電子支払い方式として、モバイル支払いは、いつでも、どこでも支払いができ、便利かつ迅速に支払いができ、支払いコストが低いなど、多くの利点がある。消費者は、携帯電話だけで、財務管理や取引手続きを完了することができ、モバイル支払いによる便利性を楽しむことができる。現在、携帯電話による支払いは、電子ビジネスの新たな注目点になっている。
【０００４】
ところで、最近の調査において、携帯電話が紛失する或いは盗難されると、誰かが携帯電話（スマートカードを含む）に記憶された情報を用いて詐欺を行うことを懸念する調査対象者が８２％いる。また、携帯電話がなくなると、自分の個人情報、金融情報が紛失することを懸念する調査対象者が９０％、自分の携帯電話に記憶されている情報が非常に重要で、かけがえのないものであることを認める調査対象者が７２％いる。ユーザは、携帯電話により電子支払いなどのような様々な行為を行うため、携帯電話の紛失が災難といえるだろう。本調査においては、９１％の調査対象者は、これに対して、疑問があり、電子支払い用の携帯電話の紛失により壊滅的な打撃を受ける。また、人々の携帯電話への依存度の深化に伴い、通信事業者は、そのユーザに安心感を与えなければならない。携帯電話をより広く利用するのは、いいことであるが、移動体事業者は、不具合を未然に防止するために、ユーザの個人情報データの安全性と管理レベルを向上させなければならない。電子支払い用携帯電話の紛失や盗難後の対応について、解決策が提案されているが、システムが現在の支払いの流れと大いに異なり、大きな変更が必要であったり、システムの安全性が十分でないため、ユーザの支払い情報が他人により不正に利用され、支払いが偽造されたり、システムが携帯電話の紛失に対して適時に対応しないことにより、ユーザが大きな損失を受けてしまい、安心感がなくなるなど、欠点がある。
【０００５】
関連技術における電子支払い用の携帯電話の紛失や盗難後の対応或いはシステムにおいて、現在の支払いの流れと大いに異なり、大きな変更が必要であったり、ショートメッセージの遅延や紛失などを考慮せず、システムの負荷とユーザのスマートカードの安全性とのバランスを考慮しないことにより、ユーザに大きな不具合をもたらすという問題に対して、未だ有効な解決策が提案されていない。
【発明の概要】
【発明が解決しようとする課題】
【０００６】
本発明は、関連技術における電子支払い用の携帯電話の紛失や盗難後の対応或いはシステムにおいて、現在の支払いの流れと大いに異なり、大きな変更が必要であったり、ショートメッセージの遅延や紛失などを考慮せず、システムの負荷とユーザのスマートカードの安全性とのバランスを考慮しないことにより、ユーザに大きな不具合をもたらすという問題に鑑みてなされたものであり、この問題を解決するためにスマートカードのリモート制御方法およびシステムを提供することを主な目的とする。
【課題を解決するための手段】
【０００７】
上述した目的を実現するために、本発明の１態様によれば、スマートカードのリモート制御方法が提供される。
【０００８】
本発明のスマートカードのリモート制御方法は、スマートカード管理プラットフォームがユーザからのスマートカード廃棄要求を受信するステップと、スマートカード管理プラットフォームが、端末側がスマートカードを廃棄するように要求に応じて移動体ネットワークプラットフォームを介して端末側との間でショートメッセージの送受信を行うステップと、を含む。
【０００９】
スマートカード管理プラットフォームが要求に応じて移動体ネットワークプラットフォームを介して端末側との間でショートメッセージの送受信を行うステップは、移動局が正常使用状態である場合に、移動体ネットワークプラットフォームからの廃棄用ショートメッセージを受信することと、移動局が廃棄用ショートメッセージに基づいて廃棄コマンドを実行することによりスマートカードを廃棄することと、を含むことが好ましい。
【００１０】
移動局がスマートカードを廃棄した後、スマートカードを廃棄状態にするステップをさらに含むことが好ましい。
【００１１】
スマートカードを廃棄状態にした後、実行に成功した旨のショートメッセージを、移動局から移動体ネットワークプラットフォームに返信するステップをさらに含むことが好ましい。
【００１２】
移動局が廃棄コマンドを実行することによりスマートカードを廃棄するステップは、移動局がスマートカードのハードウェアを廃棄することによりスマートカードを廃棄すること、または、移動局が所定のソフトウェアの実行体を実行することによりスマートカードを廃棄することを含むことが好ましい。
【００１３】
スマートカード管理プラットフォームと端末側との間でのショートメッセージの送受信は、スマートカード管理プラットフォームが、所定の時間内に端末側から返信された実行に成功した旨のショートメッセージを受信していない場合に、移動体ネットワークプラットフォームを介して端末側に廃棄用ショートメッセージを送信し続けることをさらに含むことが好ましい。
【００１４】
スマートカード管理プラットフォームが移動体ネットワークプラットフォームを介して端末側に廃棄用ショートメッセージを送信し続けることは、スマートカード管理プラットフォームが、移動体ネットワークプラットフォームを介して端末側に廃棄用ショートメッセージを送信する回数が所定の回数を超えている場合に、所定の時間毎に廃棄用ショートメッセージを端末側に送信することを含むことが好ましい。
【００１５】
スマートカード管理プラットフォームが移動体ネットワークプラットフォームを介して端末側に廃棄用ショートメッセージを送信し続けることは、スマートカードがある移動局がオフライン状態である場合、スマートカード管理プラットフォームが自体の状態を廃棄待機状態に更新することを含むことが好ましい。
【００１６】
オフライン状態での、スマートカードがある移動局が起動するまたは通信圏内に入ると、スマートカード管理プラットフォームが、スマートカードがある移動局に廃棄用ショートメッセージを送信し続けるステップをさらに含むことが好ましい。
【００１７】
スマートカード管理プラットフォームが、スマートカードがある移動局に廃棄用ショートメッセージを送信し続けるステップは、スマートカード管理プラットフォームが、廃棄用ショートメッセージを端末側に送信する回数が所定の回数を超えている場合に、所定の時間毎に廃棄用ショートメッセージを端末側に送信することを含むことが好ましい。
【００１８】
スマートカードがある移動局がオフライン状態である場合に、スマートカードを廃棄待機状態に更新するステップをさらに含むことが好ましい。
【００１９】
スマートカードを廃棄待機状態に更新した後、オフライン状態での、スマートカードがある移動局が正常使用状態に復帰し、移動体ネットワークプラットフォームに登録した場合、廃棄用ショートメッセージコマンドを、移動体ネットワークプラットフォームによりスマートカードがある移動局に送信し、移動局により実行するステップをさらに含むことが好ましい。
【００２０】
移動局のオフライン状態は、オフ状態、通信圏内ではない状態のいずれかを含むことが好ましい。
【００２１】
スマートカード管理プラットフォームがユーザからの申請を受信した後、スマートカード管理プラットフォームにより、スマートカードが有効であるかを判断するステップをさらに含むことが好ましい。
【００２２】
スマートカード管理プラットフォームが要求に応じて移動体ネットワークプラットフォームを介して端末側との間でショートメッセージの送受信を行う前に、移動体ネットワークプラットフォームと端末側によりセキュリティ認証を行うステップをさらに含むことが好ましい。
【００２３】
移動体ネットワークプラットフォームと端末側によるセキュリティ認証は、スマートカードがある移動局が、廃棄用ショートメッセージを受信すると、スマートカード管理プラットフォームからの廃棄用ショートメッセージであるかを判定することと、そうでない場合には、それを普通のショートメッセージとして取り扱うことと、そうである場合には、廃棄用ショートメッセージの指示に応じたスマートカード廃棄動作を行い、スマートカードがある移動局が、実行に成功した旨のショートメッセージをスマートカード管理プラットフォームに返信することと、を含むことが好ましい。
【００２４】
スマートカード管理プラットフォームがユーザからのスマートカード廃棄要求を受信した後、スマートカード管理プラットフォームが、スマートカードがある移動局の状態情報を、移動体ネットワークプラットフォームを介して検索するステップをさらに含むことが好ましい。
【００２５】
スマートカード管理プラットフォームが、スマートカードがある移動局の状態情報を、移動体ネットワークプラットフォームを介して検索するステップは、スマートカード管理プラットフォームが、スマートカードがある移動局の移動体識別コードおよび位置領域情報に基づいてスマートカードがある移動局の状態情報を、移動体ネットワークプラットフォームを介して検索することを含むことが好ましい。
【００２６】
スマートカード管理プラットフォームが、ＢＩＰ（Ｂｅａｒｅｒ  Ｉｎｄｅｐｅｎｄｅｎｔ  Ｐｒｏｔｏｃｏｌ）を含むＯＴＡ（Ｏｖｅｒ  Ｔｈｅ  Ａｉｒ）技術により廃棄コマンドを端末側に送信するステップをさらに含むことが好ましい。
【００２７】
上述した目的を実現するために、本発明の他の態様によれば、スマートカードのリモート制御システムが提供される。
【００２８】
本発明のスマートカードのリモート制御システムは、スマートカード監視プラットフォームが、ユーザがスマートカードを使用する時に規約違反行為があることを発見した場合、スマートカードを廃棄するようにスマートカード管理プラットフォームに通知するステップと、スマートカード管理プラットフォームと端末側との間でのショートメッセージの送受信により、端末側がスマートカードの廃棄を完了するステップと、を含む。
【００２９】
端末側は、移動局とスマートカードを含み、スマートカード管理プラットフォームと端末側との間でのショートメッセージの送受信は、スマートカード管理プラットフォームが、スマートカードがある移動局の状態情報を、移動体ネットワークプラットフォームを介して検索するステップと、スマートカードがある移動局が正常使用状態である場合に、移動体ネットワークプラットフォームが廃棄用ショートメッセージコマンドをスマートカードがある移動局に送信するステップと、移動局が廃棄用ショートメッセージを実行することによりスマートカードを廃棄するステップと、を含むことが好ましい。
【００３０】
スマートカード管理プラットフォームが、スマートカードがある移動局の状態情報を、移動体ネットワークプラットフォームを介して検索するステップは、スマートカード管理プラットフォームが、スマートカードがある移動局の移動体識別コードおよび位置領域情報に基づいてスマートカードがある移動局の状態情報を、移動体ネットワークプラットフォームを介して検索することを含むことが好ましい。
【００３１】
移動局が廃棄用ショートメッセージコマンドを実行することによりスマートカードを廃棄した後、移動局により、実行に成功した旨のショートメッセージを移動体ネットワークプラットフォームに送信するステップと、移動体ネットワークプラットフォームによりスマートカードの状態を廃棄状態に変更するステップと、をさらに含むことが好ましい。
【００３２】
スマートカード管理プラットフォームが、スマートカードがある移動局の状態情報を、移動体ネットワークプラットフォームを介して検索した後、スマートカードがある移動局がオフライン状態である場合、移動体ネットワークプラットフォームが自体の状態を廃棄待機状態に更新するステップをさらに含むことが好ましい。
【００３３】
上述した目的を実現するために、本発明の他の態様によれば、スマートカードリモート制御システムが提供される。
【００３４】
本発明のシステムは、廃棄用ショートメッセージコマンドを送信する移動体ネットワークプラットフォームと、廃棄用ショートメッセージを実行することによりスマートカードを廃棄する移動局と、を備える。
【００３５】
ユーザからの要求を受信し、移動体ネットワークプラットフォームを介して移動局との間でショートメッセの送受信を行うスマートカード管理プラットフォームをさらに備えることが好ましい。
【００３６】
移動体ネットワークプラットフォームは、さらにスマートカードがある移動局の状態情報を検索するものであることが好ましい。
【００３７】
上述した目的を実現するために、本発明の他の態様によれば、移動端末が提供される。
【００３８】
本発明の移動端末は、スマートカードの廃棄要求を受信する受信モジュールと、スマートカードの廃棄を実行する実行モジュールと、を備える。
【００３９】
実行に成功した旨のショートメッセージを送信する送信モジュールをさらに備えることが好ましい。
【００４０】
上述した目的を実現するために、本発明の他の態様によれば、移動体ネットワークプラットフォームが提供される。
【００４１】
本発明の移動体ネットワークプラットフォームは、移動局に廃棄用ショートメッセージコマンドを送信する送信モジュールと、スマートカードの状態を更新し、移動局とスマートカードがオンライン状態であり、廃棄処理の実行が成功した場合には、スマートカードの状態を廃棄状態に更新し、移動局とスマートカードがオフライン状態である場合には、スマートカードの状態を廃棄待機状態に更新する変更モジュールと、を備えることが好ましい。
【００４２】
移動局に廃棄用ショートメッセージコマンドを送信するタイミングを設定するタイマモジュールをさらに備えることが好ましい。
【００４３】
送信モジュールは、ＢＩＰ（Ｂｅａｒｅｒ  Ｉｎｄｅｐｅｎｄｅｎｔ  Ｐｒｏｔｏｃｏｌ）を含むＯＴＡ（Ｏｖｅｒ  Ｔｈｅ  Ａｉｒ）技術により廃棄コマンドを送信することが好ましい。
【発明の効果】
【００４４】
本発明は、スマートカード管理プラットフォームが、ユーザからのスマートカード廃棄要求を受信し、端末側がスマートカードを廃棄するように要求に応じて移動体ネットワークプラットフォームを介して端末側との間でショートメッセージの送受信を行うことにより、関連技術における電子支払い用の携帯電話の紛失や盗難後の対応或いはシステムにおいて現在の支払いの流れと大いに異なり、大きな変更が必要であったり、ショートメッセージの遅延や紛失などを考慮せず、システムの負荷とユーザのスマートカードの安全性とのバランスを考慮しないことにより、ユーザに大きな不具合をもたらすという問題を解消し、スマートカードおよびその移動局の強奪、紛失、盗難、重大な違反行為が発生した時に、ユーザがスマートカード監視機構にスマートカードのリモート廃棄を申請することができることにより、ユーザのセキュリティを最大限に保護し、支払いシステムに強い安全保障を提供することができる。
【図面の簡単な説明】
【００４５】
ここで説明する図面は、本発明を更に理解するためのものであり、明細書の一部を構成する。本発明の例示的な実施例およびその説明は、本発明を解釈するものであるが、本発明を不当に限定するものではない。図面において、
【図１】本発明の実施例に係るスマートカードのリモート制御方法の流れ図である。
【図２】本発明の実施例に係るスマートカードのリモート制御方法の好適な流れ図である。
【図３】本発明の実施例に係るスマートカードのリモート制御方法の好適な流れ図である。
【図４】本発明の実施例に係るネットワーク側状態機械（Ｓｔａｔｅ  Ｍａｃｈｉｎｅ）を示す図である。
【図５】本発明の実施例に係る端末側状態機械を示す図である。
【図６】本発明の実施例に係るシステムショートメッセージの送受信を示す図である。
【図７】本発明の実施例に係るスマートカードのリモート制御方法の好適な流れ図である。
【図８】本発明の実施例に係るスマートカードのリモート制御方法の好適な流れ図である。
【図９】本発明の実施例に係るスマートカードのリモート制御方法の好適な流れ図である。
【図１０】本発明の実施例に係るスマートカードのリモート制御方法の好適な流れ図である。
【図１１】本発明の実施例に係る好適なスマートカードリモート制御システムを示す図である。
【図１２】本発明の実施例に係る移動局を示す図である。
【図１３】本発明の実施例に係る移動体ネットワークプラットフォームを示す図である。
【発明を実施するための形態】
【００４６】
なお、本願の実施例および実施例の特徴は、衝突がない場合には、互いに組み合わせることが可能である。以下、図面を参照しながら、実施例に基づいて本発明を説明する。
【００４７】
［方法の実施例］
本発明の実施例によれば、スマートカードのリモート制御方法が提供される。
【００４８】
図１は、本発明の実施例に係るスマートカードのリモート制御方法の流れ図である。
【００４９】
この方法は、図１に示すように、スマートカード管理プラットフォームがユーザからのスマートカード廃棄要求を受信するステップＳ１０１と、スマートカード管理プラットフォームが、端末側がスマートカードを廃棄するように、要求に応じて移動体ネットワークプラットフォームを介して端末側との間でショートメッセージの送受信を行うステップＳ１０３とを含む。
【００５０】
以下、実例を参照しながら本発明の実施例の実現について詳細に説明する。
【００５１】
図２は、本発明の実施例に係るスマートカードのリモート制御方法の好適な流れ図である。
【００５２】
図２に示すように、本発明の１態様によれば、ショートメッセージによる支払い用のスマートカードのリモート廃棄を実行する方法を提供できる。ユーザがスマートカード管理プラットフォームにスマートカードの廃棄を申請するステップＳ１と、スマートカード管理プラットフォームが移動体ネットワークプラットフォームを介してスマートカードがある端末側との間でショートメッセージの送受信を行い、スマートカードの廃棄を行うステップＳ２と、端末がスマートカードの廃棄を実行、完了するステップＳ３とを含む。
【００５３】
図４は、本発明の実施例に係るネットワーク側状態機械（Ｓｔａｔｅ  Ｍａｃｈｉｎｅ）を示す図である。
【００５４】
図４に示すように、ネットワーク側は、正常使用状態、廃棄待機状態、廃棄状態を含む。
【００５５】
正常使用状態でのユーザがスマートカードの廃棄を申請すると、スマートカードがある移動局は、正常起動状態にある場合、スマートカード管理プラットフォームから送信されてきた廃棄用ショートメッセージを実行し、実行が成功した旨のショートメッセージを返信し、廃棄状態に移行し、スマートカードを廃棄し、オフライン状態にある場合、廃棄待機状態に移行する。
【００５６】
廃棄待機状態でのユーザがスマートカード管理プラットフォームにスマートカードの廃棄を申請すると、移動局がオフライン状態にあり、その後探し出された場合、ユーザが正常使用状態に戻り、オフライン状態での、スマートカードがある移動局は、初めてオンラインする（起動するまたは通信圏内に入る）と、廃棄用ショートメッセージを実行し、実行が成功した旨のショートメッセージを返信し、スマートカードを廃棄する。
【００５７】
図５は、本発明の実施例に係る端末側状態機械を示す図である。
【００５８】
図５に示すように、端末側は、正常使用状態、廃棄待機状態、廃棄状態を含む。
【００５９】
正常使用状態でのユーザがスマートカードの廃棄を申請すると、スマートカード管理プラットフォームは、スマートカードを廃棄する旨のショートメッセージを、スマートカードがある端末に送信し、移動局がその実行を成功させる。
【００６０】
移動局によるスマートカードを廃棄する旨のショートメッセージの実行は、廃棄待機状態での端末の応答時間が所定の時間を超えた場合には不成功で、応答時間が所定の時間を超えていない場合には成功する。
【００６１】
図６は、本発明の実施例に係るシステムショートメッセージの送受信を示す図である。
【００６２】
図６に示すように、システムショートメッセージの送受信は、ユーザ、移動端末（スマートカード）、スマートカード管理プラットフォーム及び移動体ネットワークプラットフォーム（ショートメッセージ・ゲートウェイ）等の間で行われる。
【００６３】
ユーザは、スマートカード廃棄要求をスマートカード管理プラットフォームに送信し、スマートカード管理プラットフォームは、この要求を受信して移動体ネットワークプラットフォームに転送する。
【００６４】
移動体ネットワークプラットフォームは、当該スマートカード廃棄要求を受信すると、スマートカード廃棄コマンドを移動端末のスマートカードに送信し、移動端末は、関連する要求を取り扱った後、スマートカードを成功に廃棄した旨のコマンドを移動体ネットワークプラットフォームに返信する。
【００６５】
移動体ネットワークプラットフォームは、移動端末のスマートカード廃棄コマンドを待機するとき、移動端末からのスマートカードの廃棄を申請するためのコマンドを受信し、スマートカード廃棄コマンドを移動端末に送信し、成功コマンドを受信すると、移動端末のスマートカード廃棄コマンドが成功することが好ましい。
【００６６】
図７は、本発明の実施例に係るスマートカードのリモート制御方法の好適な流れ図である。
【００６７】
図７に示すように、図２のステップＳ２は、以下のステップＳ７０１〜ステップＳ７２１を含んでもよい。
【００６８】
ステップＳ７０１において、ユーザは、スマートカード管理プラットフォームにスマートカードの廃棄を申請し、スマートカード管理プラットフォームは、ユーザから送信されてきたスマートカード廃棄要求を受信する（スマートカード廃棄要求は、スマートカード管理プラットフォームに送信される）。
ステップＳ７０２において、当該管理プラットフォームは、データベースを照合する。
ステップＳ７０３において、スマートカードが有効であるかを判断し、スマートカードが無効である場合、ステップＳ７１８に移行し、エラーの旨の失敗メッセージを返信し、ステップが終了し、スマートカードが有効である場合、ステップＳ７０４に移行する。
ステップＳ７０４において、スマートカード管理プラットフォームは、当該スマートカードがある移動局の現在状態情報を、移動体ネットワークプラットフォームを介して検索する。
ステップＳ７０５において、スマートカードがある移動局が正常起動状態であるかを判断し、正常状態である場合、ステップＳ７０６に移行し、正常状態でない場合、ステップＳ７１３に移行する。
ステップＳ７０６において、廃棄用カウンタを初期値に設定する。
ステップＳ７０７において、スマートカード管理プラットフォームは、応答待機用タイマを起動し、スマートカードがある移動局に廃棄用ショートメッセージを送信し、端末の応答ショートメッセージを待機する。
ステップＳ７０８において、スマートカードがある移動局は、廃棄用ショートメッセージを受信すると、ショートメッセージの送信元のセキュリティ認証を行い、スマートカード管理プラットフォームからの廃棄用ショートメッセージであるかを判定し、そうでない場合には、それを普通のショートメッセージとして取り扱い、そうである場合には、当該廃棄用ショートメッセージの指示に応じたスマートカード廃棄機能を実行し、成功すると、成功を示すショートメッセージをスマートカード管理プラットフォームに返信する。
ステップＳ７０９において、応答待機用タイマが所定時間を超えているかを判断し、応答待機用タイマが所定時間を超えている場合には、ステップＳ７１０に移行し、超えていない場合には、ステップＳ７１９に移行する。
ステップＳ７１０において、スマートカード管理プラットフォームは、応答待機用タイマが所定時間を超えても、端末から返信される、廃棄が成功した旨のショートメッセージを受信していない場合、廃棄用カウンタの現在値から１を差し引いたものを、廃棄用カウンタの値として設定する。
ステップＳ７１１において、廃棄用カウンタの値が０より大きいのかを判断し、廃棄用カウンタの値が０より大きい場合、ステップＳ７０７に移行し、廃棄用ショートメッセージを再送し、そうでない場合には、ステップＳ７１２に移行する。
ステップＳ７１２において、端末によるスマートカードの廃棄が失敗し、スマートカード管理プラットフォームが応答待機用タイマをオフし、スマートカードの廃棄処理が終了する。
ステップＳ７１３において、スマートカード管理プラットフォームは、端末からの、スマートカードの廃棄が成功した旨のショートメッセージを受信すると、非正常起動状態である非正常状態では、当該スマートカードの状態を廃棄状態に更新し、ステップＳ７１４に移行する。
ステップＳ７１４において、スマートカード管理プラットフォームは、スマートカードがある移動局がオフライン状態（オフ状態、起動したが通信圏内ではない状態など）である場合、その状態を廃棄待機状態に更新する。
ステップＳ７１４において、オフライン状態（オフ状態、起動したが通信圏内ではない状態など）での、スマートカードがある移動局は、起動するまたは通信圏内に入ると、移動体ネットワークプラットフォームに登録する。
ステップＳ７１５において、移動体ネットワークプラットフォームは、スマートカードがある移動局の現在状態情報を検索する。
ステップＳ７１６において、その現在状態が廃棄待機状態であるかを判断し、廃棄待機状態である場合には、ステップＳ７０６に移行し、それでない場合には、ステップＳ７１７に移行する。
ステップＳ７１７において、関連処理を行う。端末によるスマートカードの廃棄が失敗し、スマートカード管理プラットフォームが応答待機用タイマをオフし、スマートカードの廃棄処理が終了する。
ステップＳ７１９において、待機時間が所定の時間を超えている場合、スマートカードの廃棄が成功した旨のショートメッセージをスマートカード管理プラットフォームに返信する。
ステップＳ７２０において、スマートカード管理プラットフォームは、端末からの、スマートカードの廃棄が成功した旨のショートメッセージを受信すると、当該スマートカードの状態を廃棄状態に更新する。
ステップＳ７２１において、端末によるスマートカードの廃棄が成功し、スマートカード管理プラットフォームが応答待機用タイマをオフし、スマートカードの廃棄処理が終了する。
【００６９】
スマートカードがある移動局は、スマートカードを廃棄するためのショートメッセージを受信した後、対応するスマートカード廃棄機能を実行する前に、ショートメッセージの送信元のセキュリティ認証を行い、スマートカード管理プラットフォームからの廃棄用ショートメッセージであるかを判定することが好ましい。
【００７０】
図８は、本発明の実施例に係るスマートカードのリモート制御方法の好適な流れ図である。
【００７１】
この好適な方法は、図８に示すように、スマートカード監視機構がスマートカード管理プラットフォームに通知し、当該スマートカードがある移動局の現在状態情報を、移動体ネットワークプラットフォームを介して検索するステップＳ８０１を含む。
ステップＳ８０１〜ステップＳ８１７は、図７のステップＳ７０５〜ステップＳ７２１と同様である。
【００７２】
図９は、本発明の実施例に係るスマートカードのリモート制御方法の好適な流れ図である。
【００７３】
スマートカード管理プラットフォームは、時限廃棄用タイマをさらに備え、端末によるスマートカードの廃棄が失敗した後に、スマートカードの時限廃棄処理を開始させることをさらに含む。
【００７４】
この時限廃棄処理は、図９に示すように、以下のステップＳ９０１〜ステップＳ９１１を含む。
【００７５】
ステップＳ９０１において、時限廃棄用タイマの時間長Ｍを設定し、このタイマをオンする。
ステップＳ９０２において、時限廃棄用タイマが所定時間を超えているかを判断し、時限廃棄用タイマが所定時間を超えている場合、ステップＳ９０３に移行し、超えていない場合、待機状態に移行する。
ステップＳ９０３において、移動体ネットワークプラットフォームは、このスマートカードがある移動局の現在状態情報を検索する。
ステップＳ９０４において、スマートカードがある移動局が正常起動状態であるかを判断し、該当移動局が正常起動状態である場合、ステップＳ９０５に移行し、該当移動局がオフライン状態である場合、廃棄要否状態Ａに移行する。
ステップＳ９０５において、スマートカード管理プラットフォームは、応答待機用タイマを起動し、スマートカードがある移動局に廃棄用ショートメッセージを送信し、端末の応答ショートメッセージを待機する。
ステップＳ９０６において、スマートカードがある移動局は、廃棄用ショートメッセージを受信すると、この廃棄用ショートメッセージの指示に応じたスマートカード廃棄機能を実行する。
ステップＳ９０７において、応答待機用タイマが所定時間を超えているかを判断し、所定時間を超えている場合、ステップＳ９１１に移行し、超えていない場合には、ステップＳ９０８に移行する。
ステップＳ９０８において、成功すると、成功の旨のショートメッセージをスマートカード管理プラットフォームに返信する。
ステップＳ９０９において、スマートカード管理プラットフォームは、端末からの、スマートカードの廃棄が成功した旨のショートメッセージを受信すると、このスマートカードの状態を廃棄状態に更新し、ステップＳ９１０に移行する。
ステップＳ９１０において、端末によるスマートカードの廃棄が成功し、スマートカード管理プラットフォームが応答待機用タイマをオフし、スマートカードの廃棄処理が終了する。
ステップＳ９１１において、スマートカード管理プラットフォームは、応答待機用タイマをオフし、時限廃棄用タイマを再起動する。
【００７６】
図１０は、本発明の実施例に係るスマートカードのリモート制御方法の好適な流れ図である。
【００７７】
この方法は、図１０に示すように、移動体ネットワークプラットフォームが、このスマートカードがある移動局の現在状態情報を検索すると、移動局が非正常起動状態である場合、以下のステップＳ１００１〜ステップＳ１０１２を含む。
【００７８】
ステップＳ１００１において、スマートカード管理プラットフォームは、スマートカードがある移動局がオフライン状態（オフ状態、起動したが通信圏内ではない状態）である場合、その状態を廃棄待機状態に更新する。
ステップＳ１００２において、オフライン状態（オフ状態、起動したが通信圏内ではない状態）での、スマートカードがある移動局は、起動するまたは通信圏内に入ると、移動体ネットワークプラットフォームに登録する。
ステップＳ１００３において、廃棄用カウンタを初期値に設定する。
ステップＳ１００４において、スマートカード管理プラットフォームは、応答待機用タイマを起動し、スマートカードがある移動局に廃棄用ショートメッセージを送信し、端末の応答メッセージを待機する。
ステップＳ１００５において、スマートカードがある移動局は、廃棄用ショートメッセージを受信すると、この廃棄用ショートメッセージに応じたスマートカード廃棄機能を実行する。
ステップＳ１００６において、応答待機用タイマが所定時間を超えているかを判断し、所定時間を超えていない場合、ステップＳ１００７に移行し、超えている場合、ステップＳ１０１０に移行する。
ステップＳ１００７において、該当するスマートカードの廃棄の実行が成功した旨のショートメッセージを、スマートカード管理プラットフォームに返信する。
ステップＳ１００８において、スマートカード管理プラットフォームは、端末からの、スマートカードの廃棄が成功した旨のショートメッセージを受信すると、このスマートカードの状態を廃棄状態に変更する。
ステップＳ１００９において、端末によるスマートカードの廃棄が成功し、スマートカード管理プラットフォームは、応答待機用タイマをオフする。
ステップＳ１０１０において、スマートカード管理プラットフォームは、端末からの成功の旨のショートメッセージを受信していない場合、廃棄用カウンタの現在値から１を差し引いたものを、廃棄用カウンタの値として設定する。
ステップＳ１０１１において、ディスエーブル（ｄｉｓａｂｌｅ）／イネーブル（ｅｎａｂｌｅ）・カウンタの値が０より大きいのかを判断し、０より大きい場合、ステップＳ１００４に移行し、それでない場合、ステップＳ１０１２に移行する。
ステップＳ１０１２において、スマートカード管理プラットフォームは、応答待機用タイマをオフし、時限廃棄用タイマを再起動する。
【００７９】
この方法において、図２と図７の対応するスマートカード廃棄コマンドを実行し、スマートカードを廃棄するステップは、物理ハードウェアを廃棄することによりスマートカードの機能を無効にすること、または、予め実装されたソフトウェアの実行体（手段）を実行することによりスマートカードを廃棄することを含むことが好ましい。
【００８０】
所定のソフトウェアの実行体（手段）は、スマートカード、または、スマートカードがある移動局に予め配置されてもよい。
【００８１】
例えば、携帯電話の電池の電圧をそのままスマートカードの送電回路に印加した場合、スマートカードの正常電圧は、低く（１．８ｖ／３ｖ）、移動端末の動作電圧は、通常、３．６ｖ〜４．２ｖであるため（５ｖのカードは、別の廃棄方法を用いてもよい）、このスマートカードを、回復できないように直接廃棄することができる。
【００８２】
予め実装されたソフトウェアの実行体が、スマートカードがある端末に配置されている場合に、移動局による廃棄コマンドの実行は、スマートカードの（メモリに記憶されている）支払いデータを廃棄するステップと、端末に含まれる予め実装されたソフトウェアの実行体を実行することにより、スマートカードの支払いデータを廃棄し、スマートカードのプログラムが予め実装されたソフトウェアの実行体をスマートカードに配置するステップとを含む。
【００８３】
移動局による、スマートカードの支払いデータを廃棄するためのコマンドの実行は、スマートカードに配置された予め実装されたソフトウェアの実行体プログラムを端末にコピーするステップと、スマートカードの（メモリに記憶されている）支払いデータを廃棄するステップと、端末に含まれる予め実装されたソフトウェアの実行体のスマートカード廃棄プログラムのコピーを実行するステップとを含むことが好ましい。
【００８４】
例えば、ソフトウェア・プログラムによりスマートカードを廃棄する。具体的には、ソフトウェア・プログラムを、ＰＵＫコードの入力回数が１０より多いようにプログラミングすることにより、スマートカードを、ロック解除できないように永久にロックし、すなわち、スマートカードが廃棄される。
【００８５】
スマートカード管理プラットフォームは、このスマートカードがある移動局の現在状態情報を、移動体ネットワークプラットフォームを介して検索し、移動体ネットワークプラットフォームは、移動局の移動体識別コードおよび位置領域情報に基づいて移動局の状態情報を検索することが好ましい。
【００８６】
オフライン状態（オフ状態、起動したが通信圏内ではない状態など）での、スマートカードがある移動局は、起動するまたは通信圏内に入った後、移動体ネットワークプラットフォームに登録した場合、移動体ネットワークプラットフォームは、スマートカードがある移動局が廃棄待機状態にあることを探知すると、廃棄用カウンタを初期値に設定することが好ましい。
【００８７】
本発明の他の態様によれば、ショートメッセージにより電子支払い用スマートカードのリモート廃棄を実現する方法（これは、ユーザが規約に違反した場合に対応する、ユーザからの申請がなくとも管理プラットフォームによりユーザのスマートカードを直接廃棄処分する場合である）が提供される。
【００８８】
図３は、本発明の実施例に係るスマートカードのリモート制御方法の好適な流れ図である。
【００８９】
この方法は、図３に示すように、リモート送信される、スマートカードの廃棄を要求するショートメッセージを受信するステップＳ１１と、ショートメッセージを解析し、金融サーバからのショートメッセージであるかを判定するステップＳ１２と、スマートカードを廃棄するステップＳ１３とを含む。
【００９０】
ステップＳ１１において、スマートカード監視機構（例えば支払いシステムプラットフォームやスマートカード管理プラットフォームなど）は、ユーザがスマートカードを使用する時に違反行為があることを発見した場合、それを処理するようにスマートカード管理プラットフォームに通知することが好ましい。
【００９１】
ステップ１２において、スマートカード管理プラットフォームは、移動体ネットワークプラットフォームを介して、スマートカードがある端末側との間でショートメッセージの送受信を行い、スマートカードの廃棄を行うことが好ましい。
【００９２】
ステップＳ１３において、端末側がスマートカードの廃棄を完了することが好ましい。
【００９３】
ステップＳ１１の詳細は、図７のステップＳ７０１〜ステップＳ７２１を参照のこと。
【００９４】
本発明の他の態様によれば、移動端末（側）と、スマートカード管理プラットフォームとを備える、ショートメッセージにより電子支払い用スマートカードのリモート廃棄を実現するシステムが提供されることが好ましい。
【００９５】
移動端末（側）は、移動端末と、支払い機能を有する埋め込み型スマートカードまたは外部のスマートカード・チップとを含み、移動体ネットワークプラットフォーム（移動体ネットワーク・アクセス・ポイント、例えば基地局、ショートメッセージゲートウェイ、ネットワーク交換機などの移動体ネットワークに必要な機器）を介してスマートカード管理プラットフォームとの通信を行い、スマートカード管理プラットフォームから移動端末に送信された、スマートカードを廃棄するためのショートメッセージを受信し、処理するものである。
【００９６】
スマートカード管理プラットフォームは、ユーザからのスマートカード廃棄要求を受信し、移動体ネットワークプラットフォームを介して移動端末側との通信を行い、ユーザからのスマートカード廃棄申請を受信すると、スマートカードを廃棄するためのショートメッセージを、移動体ネットワークプラットフォームを介して移動端末側に送信するものである。
【００９７】
このように、前記スマートカードは、ｓｉｍカード、Ｒ−ＵＩＭカード、ｕｓｉｍカード、ｃｓｉｍカード、ＵＩＣＣカード、ｊａｖａカード、金融カード、交通カード、プリペイドカード（ｐｒｅｐａｙｅｄ  ｃａｒｄ）、およびこれらの組み合わせを含むが、それらに限定されない。
【００９８】
移動端末は、ＧＳＭ（登録商標）、ＣＤＭＡ、ＷＣＤＭＡ、Ｔｄ−ｓｃｄｍａ、ｃｄｍａ２０００、データカード、固定局、ＬＴＥ、ＬＴＥ＋などの形式の端末、およびこれらを任意に組み合わせたマルチモード端末を含むが、それらに限定されない。
【００９９】
また、本発明の実施例において、スマートカード管理プラットフォームと端末側とのインターワーキング（ｉｎｔｅｒｗｏｒｋｉｎｇ）は、ＢＩＰ（Ｂｅａｒｅｒ  Ｉｎｄｅｐｅｎｄｅｎｔ  Ｐｒｏｔｏｃｏｌ）とショートメッセージチャネルとを含むことができるＯＴＡ（Ｏｖｅｒ  Ｔｈｅ  Ａｉｒ）技術により実現することができる。
【０１００】
［装置の実施例］
本発明の実施例によれば、スマートカードリモート制御システムが提供される。
【０１０１】
本発明の実施例に係る好適なスマートカードリモート制御システムは、要求手段と、通信手段と、実行手段とを備える。
【０１０２】
具体的には、要求手段は、ユーザからの要求を取得するものである。通信手段は、移動体ネットワークプラットフォームと移動局とのインターワーキング、移動体ネットワークプラットフォームとカード管理プラットフォームとの通信、データの同期などに用いられるものである。実行手段は、移動局によるスマートカードのロックとロック解除に用いられるものである。
【０１０３】
図１１は、本発明の実施例に係る好適なスマートカードリモート制御システムを示す図である。
【０１０４】
このシステムは、図１１に示すように、廃棄の旨のショートメッセージコマンドを移動局に送信する移動体ネットワークプラットフォーム１０３と、前記廃棄コマンドを実行することによりスマートカードを廃棄する移動局１０１とを備える。
【０１０５】
ユーザ１０９は、スマートカード管理プラットフォーム１０７にスマートカードの廃棄を申請し、スマートカード管理プラットフォーム１０７は、このスマートカードがある移動局の現在状態情報を、移動体ネットワークプラットフォームを介して検索し、スマートカードがある移動局が正常起動状態である場合には、移動体ネットワークプラットフォーム１０３により、スマートカードがある移動局１０１に廃棄コマンドを直接送信し、スマートカードがある移動局１０１は、この廃棄コマンドを実行してスマートカードを廃棄すると、成功の旨のメッセージを移動体ネットワークプラットフォーム１０３に返信し、移動体ネットワークプラットフォーム１０３は、このスマートカードの状態を廃棄状態に変更し、スマートカードの状態を廃棄状態に更新するようにスマートカード管理プラットフォーム１０７に通知し、スマートカードがある移動局１０１がオフライン状態（オフ状態、起動したが通信圏内ではない状態など）である場合には、移動体ネットワークプラットフォーム１０３は、その状態を廃棄待機状態に更新し、状態データバースを更新するようにスマートカード管理プラットフォーム１０７に通知することが好ましい。
【０１０６】
本発明のシステムは、移動端末側と、スマートカード管理プラットフォームと、移動体ネットワークプラットフォームとを備えることが好ましい。移動端末側は、移動端末と、支払い機能を有する埋め込み型スマートカードまたは外部のスマートカード・チップとを含み、移動体ネットワークプラットフォームを介してスマートカード管理プラットフォームとの通信を行い、スマートカード管理プラットフォームから送信されてきた、スマートカードを廃棄するためのショートメッセージを受信し、処理し、ショートメッセージの送信元のセキュリティ認証を行うものである。スマートカード管理プラットフォームは、スマートカード管理システム、暗号キー管理システム、証明書管理システムなどを含み、ユーザからのスマートカード廃棄要求を受信し、スマートカードの発行と管理を司り、スマートカードの資源、寿命、暗号キー、証明書を管理し、ほかのアプリケーション事業者のセキュリティドメイン（ｓｅｃｕｒｉｔｙ  ｄｏｍａｉｎ）を作成し、他のセキュリティドメインとの間でアプリケーションデータを送受信するものである。スマートカード発行元が保有するアプリケーションまたは委託管理するアプリケーションを提供し管理するスマートカードアプリケーション管理システムを含んでもよい。アプリケーション事業者に関する情報が記録され、アプリケーション事業者のサービス権限などを規定するアプリケーション事業者管理プラットフォームを含んでもよい。スマートカード管理プラットフォームは、移動体ネットワークプラットフォームを介して移動端末側との通信を行い、ユーザからのスマートカード廃棄申請を受信すると、スマートカードを廃棄するための特定のショートメッセージを、移動体ネットワークプラットフォームを介して移動端末に送信する。移動体ネットワークプラットフォームは、サービスを実現する無線ネットワーク支持体であり、移動体ネットワークアクセスポイント、例えば基地局、ショートメッセージ・ゲートウェイ、交換機など、Ｇｓｍネットワーク、ＧＰＲＳネットワーク、Ｗｃｄｍａネットワーク、ｃｄｍａネットワークなどのような移動体ネットワークに必要な機器を含む。
【０１０７】
このシステムは、上述したもののほか、支払いシステムプラットフォームを備えてもよい。この支払いシステムプラットフォームは、電子支払い取引手続きをサポートするプラットフォームである支払いプラットフォームと、電子支払いアプリケーションの提供および管理機能を司る支払いアプリケーション管理プラットフォームであり、アプリケーション管理システムと、暗号キー管理システムと、証明書管理システムとを含み、様々なサービスアプリケーションを提供し、スマートカードにおける対応するセキュリティドメインを管理し、そのセキュリティドメインのアプリケーションの暗号キー、証明書、データなどを制御し、アプリケーションのセキュリティダウンロード機能を提供する支払いアプリケーション管理プラットフォームとを備える。アプリケーション事業者は、通信事業者、銀行、公共交通機関、販売元などであってもよい。
【０１０８】
図１２は、本発明の実施例に係る移動局を示す図である。
【０１０９】
この移動局は、図１２に示すように、スマートカードの廃棄を実行する実行モジュール１１１と、廃棄成功メッセージを送信する送信モジュール１１３とを備える。
【０１１０】
図１３は、本発明の実施例に係る移動体ネットワークプラットフォームを示す図である。
【０１１１】
この移動体ネットワークプラットフォームは、図１３に示すように、検索モジュール１２１と、送信モジュール１２３と、変更モジュール１２５と、通知モジュール１２７と、更新モジュール１２９と、タイマモジュール１３１とを備える。
【０１１２】
具体的には、検索モジュール１２１は、スマートカードがある移動局の状態情報を検索するものである。送信モジュール１２３は、前記移動局の状態情報が、前記移動局が正常使用状態であることを示す場合、前記移動局に廃棄コマンドを送信するものである。変更モジュール１２５は、前記スマートカードの状態を廃棄状態に変更するものである。通知モジュール１２７は、前記スマートカードの状態を廃棄状態に更新するようにスマートカード管理プラットフォームに通知するものである。更新モジュール１２９は、前記状態情報が、前記スマートカードがある移動局がオフライン状態にあることを示す場合、自体の状態を廃棄待機状態に更新するものである。タイマモジュール１３１は、前記移動局に廃棄コマンドを送信するタイミングを設定するものである。
【０１１３】
本発明によれば、支払い用ユーザ端末の強奪、紛失、盗難、または、重大な違反行為による損失を回避することができ、システムの負荷とユーザのスマートカードの安全性とのバランスを考慮し、ショートメッセージの伝送紛失、遅延によるサービスフローへの影響を解消することにより、スマートカードの廃棄を完了し、支払いシステムに強い融通性を提供することができる。
【０１１４】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
0005513618.tif 000002
【図２】
0005513618.tif 000003
【図３】
0005513618.tif 000004
【図４】
0005513618.tif 000005
【図５】
0005513618.tif 000006
【図６】
0005513618.tif 000007
【図７】
0005513618.tif 000008
【図８】
0005513618.tif 000009
【図９】
0005513618.tif 000010
【図１０】
0005513618.tif 000011
【図１１】
0005513618.tif 000012
【図１２】
0005513618.tif 000013
【図１３】
0005513618.tif 000014